(57)【特許請求の範囲】
【請求項１】
電源部から電力の供給を受けて動作する被動作部を対象として、電力を供給する電力供給状態又は前記電力の供給を遮断する電力遮断状態の何れかに遷移させると共に、前記被動作部を電力遮断状態とする場合に、当該電力遮断状態から電力供給状態へ遷移させるための復帰時間が相対的に異なる複数種類の電力遮断状態の中から選択して遷移させる遷移手段と、
前記被動作部を使用する使用者を含む移動体を検出する移動体検出手段と、
前記電力遮断状態において、前記移動体検出手段で前記移動体を検出した場合に、前記遷移手段を制御して、前記被動作部を電力供給状態に復帰するように制御する復帰制御手段と、
前記復帰制御手段による復帰開始から復帰完了までの立ち上がり時間が最も長い電力遮断状態に基づいて、前記移動体検出手段による再検出時期となる基準時間を設定する基準時間設定手段と、
前記復帰制御手段による復帰開始を起点として、前記基準時間設定手段で設定された基準時間が経過した後に、前記移動体検出手段による前記移動体の検出状況を確認して、前記被動作部の電力供給状態を維持するか、或いは前記遷移手段を制御して電力遮断状態に戻すかを判別する状態判別手段と、
使用者が操作する操作部を起点とした複数の距離の中から、使用者によって特定の距離が選択されることにより、前記移動体検出手段により検出される前記移動体までの検出距離の設定が他の距離から変更された場合、又は、移動体検出手段の取付面と検出光軸とが直角となる向きを基準とした複数の角度の中から、使用者によって特定の角度が選択されることにより、前記移動体検出手段により検出される前記移動体に対する検出角度の設定が他の角度から変更された場合に、変更前と変更後の相対差に基づいて、前記基準時間を変更後の距離又は角度に対応する時間に補正する補正手段と、
を有する電力供給制御装置。
【請求項２】
前記被動作部が、複数の処理部の処理を一括して制御する主制御部であり、少なくとも電力遮断状態として、前記主制御部に電力が一切供給されておらず復帰の際に初期化処理が必要な第１の状態、前記主制御部の一部に電力が供給され前記初期化処理が不要な第２の状態が設定されており、前記第１の状態の方が前記第２の状態よりも前記復帰時間が長い請求項１記載の電力供給制御装置。
【請求項３】
前記第１の状態及び第２の状態のそれぞれにおいて、複数種類の電力遮断状態が設定可能である請求項２記載の電力供給制御装置。
【請求項４】
前記基準時間内において、前記移動体検出手段による検出を複数回実行し、複数回の検出情報を前記状態判別手段による判別材料とする請求項１〜請求項３の何れか１項記載の電力供給制御装置。
【請求項５】
前記補正手段で補正した基準時間に基づく前記状態判別手段の判定結果の正誤を確認する正誤確認手段をさらに有し、
前記補正手段では、前記正誤確認手段での確認情報に基づいて、前記基準時間をさらに補正する請求項１〜請求項４の何れか１項記載の電力供給制御装置。
【請求項６】
三次元空間として拡がる前記移動体検出手段の検出領域の中から、検出位置情報として利用する領域を特定するための検出距離、及び検出角度を含む基礎情報を入力する入力手段をさらに有する請求項１〜請求項５の何れか１項記載の電力供給制御装置。
【請求項７】
前記基礎情報には、前記移動体検出手段の検出領域内を移動する移動体の標準的な移動速度が含まれる請求項６記載の電力供給制御装置。
【請求項８】
前記入力手段が、前記基礎情報の各項目を複数の選択肢から選択する表示部を備え、当該表示部に表示された画面を見ながら前記選択肢を指定する対話形式の入力装置である請求項６又は請求項７の電力供給制御装置。
【請求項９】
前記電力遮断状態が、前記主制御部の前記第１の状態、第２の状態に関わらず、少なくとも前記移動体検出手段の動作及び検出に必要な制御系に電力を供給するスリープモードを備えている請求項２記載の電力供給制御装置。
【請求項１０】
前記電力供給状態が、少なくとも、予め定めた処理を実行する処理部に対して定常時よりも下げて電力を供給しておくスタンバイモード、前記処理部に対して前記定常時の電力を供給するランニングモード、前記スタンバイモードよりも消費電力が低く前記スリープモードよりも消費電力が高い状態を維持するローパワーモードを備えている請求項９記載の電力供給制御装置。
【請求項１１】
前記請求項１〜請求項１０の何れか１項記載の電力供給制御装置を備え、原稿画像から画像を読み取る画像読取部、画像情報に基づいて記録用紙に画像を形成する画像形成部、予め相互に定められた通信手順の下で画像を送信先へ送信するファクシミリ通信制御部、移動体の一部である使用者との情報の受付報知を行うユーザーインターフェイス部、前記使用者を識別するための使用者識別装置の少なくとも１つを含んでおり、前記使用者からの指示に基づいて、相互に連携しあって画像処理を実行すると共に、前記移動体検出手段が、前記ユーザーインターフェイス部又は使用者識別装置の設置位置を基準として設けられた画像処理装置。
【請求項１２】
コンピュータを、前記請求項１〜請求項１０の何れか１項記載の電力供給制御装置として実行させる電力供給制御プログラム。
【発明の詳細な説明】
【技術分野】
【０００１】
本発明は、電力供給制御装置、画像処理装置、電力供給制御プログラムに関する。
【背景技術】
【０００２】
電力供給対象の被動作部（制御部、処理部、負荷）に対する電力供給制御を自動化する手段の１つとして、人感センサ制御がある。
【０００３】
特許文献１には、画像処理装置に人感センサを設置して、当該画像処理装置に近づいてきた人を検出して、画像処理装置の電源を立上げて、消費電力の低減と利便性の両立を実現することが記載されている。
【０００４】
より詳しくは、人感センサとして、２点に設置された距離検出手段を採用し、人体の移動方向が所定のエリアに向かっているかどうかを判断し、その判断結果に基づいて、画像形成装置本体を制御しており、人感センサによる人体の接近の際、画像形成装置に近づいてきて、操作することなく素通りするといった事象（単なる歩行者）に対して、前記立上げが実行される場合を含んでいる。
【０００５】
特許文献２には、水平方向に人感センサを回転させて、向きを変えることで、検出死角を無くして検知精度を上げることが記載されている。
【０００６】
上記のような人感センサにおいて、特許文献３は、正面に人がいない状態からいる状態に変化したことを検知した信号が出力されたときに操作部コントローラのみを省エネモードから通常モードへ復帰させ、そこから一定期間、人がいる状態が継続したら，画像形成部を復帰させることが開示されている。この場合、機器の使用を意図していない人が、省エネモード状態にある機器の前を通り過ぎただけでも、ユーザーインターフェイスが起動する場合がある。
【０００７】
また、特許文献４には、人を検知した段階で、ユーザーインターフェイスを起動（表示）し、人の検知時間を計測しておき、人を検知していた時間が短いときは、ユーザーインターフェイスの電力を遮断することが記載されている。この場合、素通りすると、瞬間的にユーザーインターフェイスが起動する場合がある。
【先行技術文献】
【特許文献】
【０００８】
【特許文献１】特開平５−０４５４７１号公報
【特許文献２】特開平７−１１４３０８号公報
【特許文献３】特開平９−１６６９４３号公報
【特許文献４】特開２００２−６６８６号公報
【発明の概要】
【発明が解決しようとする課題】
【０００９】
本発明は、本構成を有しない場合に比べて、移動体検出手段の特定の検出領域において、所謂素通りする移動体であるのか、装置を使用する使用者であるのかの判別精度を向上することができる電力供給制御装置、画像処理装置、電力供給制御プログラムを得ることが目的である。
【課題を解決するための手段】
【００１０】
請求項１に記載の発明は、電源部から電力の供給を受けて動作する被動作部を対象として、電力を供給する電力供給状態又は前記電力の供給を遮断する電力遮断状態の何れかに遷移させると共に、前記被動作部を電力遮断状態とする場合に、当該電力遮断状態から電力供給状態へ遷移させるための復帰時間が相対的に異なる複数種類の電力遮断状態の中から選択して遷移させる遷移手段と、前記被動作部を使用する使用者を含む移動体を検出する移動体検出手段と、前記電力遮断状態において、前記移動体検出手段で前記移動体を検出した場合に、前記遷移手段を制御して、前記被動作部を電力供給状態に復帰するように制御する復帰制御手段と、前記復帰制御手段による復帰開始から復帰完了までの立ち上がり時間が最も長い電力遮断状態に基づいて、前記移動体検出手段による再検出時期となる基準時間を設定する基準時間設定手段と、前記復帰制御手段による復帰開始を起点として、前記基準時間設定手段で設定された基準時間が経過した後に、前記移動体検出手段による前記移動体の検出状況を確認して、前記被動作部の電力供給状態を維持するか、或いは前記遷移手段を制御して電力遮断状態に戻すかを判別する状態判別手段と、使用者が操作する操作部を起点とした複数の距離の中から、使用者によって特定の距離が選択されることにより、前記移動体検出手段により検出される前記移動体までの検出距離の設定が他の距離から変更された場合、又は、移動体検出手段の取付面と検出光軸とが直角となる向きを基準とした複数の角度の中から、使用者によって特定の角度が選択されることにより、前記移動体検出手段により検出される前記移動体に対する検出角度の設定が他の角度から変更された場合に、変更前と変更後の相対差に基づいて、前記基準時間を変更後の距離又は角度に対応する時間に補正する補正手段と、を有している。
【００１１】
請求項２に記載の発明は、前記請求項１に記載の発明において、前記被動作部が、複数の処理部の処理を一括して制御する主制御部であり、少なくとも電力遮断状態として、前記主制御部に電力が一切供給されておらず復帰の際に初期化処理が必要な第１の状態、前記主制御部の一部に電力が供給され前記初期化処理が不要な第２の状態が設定されており、前記第１の状態の方が前記第２の状態よりも前記復帰時間が長い。
【００１２】
請求項３に記載の発明は、前記請求項１又は請求項２に記載の発明において、前記第１の状態及び第２の状態のそれぞれにおいて、複数種類の電力遮断状態が設定可能である。
【００１３】
請求項４に記載の発明は、前記請求項１〜請求項３の何れか１項記載の発明において、前記基準時間内において、前記移動体検出手段による検出を複数回実行し、複数回の検出情報を前記状態判別手段による判別材料とする。
【００１４】
請求項５に記載の発明は、前記請求項１〜請求項４の何れか１項記載の発明において、前記補正手段で補正した基準時間に基づく前記状態判別手段の判定結果の正誤を確認する正誤確認手段をさらに有し、前記補正手段では、前記正誤確認手段での確認情報に基づいて、前記基準時間をさらに補正する。
【００１５】
請求項６に記載の発明は、前記請求項１〜請求項５の何れか１項記載の発明において、三次元空間として拡がる前記移動体検出手段の検出領域の中から、検出位置情報として利用する領域を特定するための検出距離、及び検出角度を含む基礎情報を入力する入力手段をさらに有する。
【００１６】
請求項７に記載の発明は、前記請求項６に記載の発明において、前記基礎情報には、前記移動体検出手段の検出領域内を移動する移動体の標準的な移動速度が含まれる。
【００１７】
請求項８に記載の発明は、請求項６又は請求項７に記載の発明において、前記入力手段が、前記基礎情報の各項目を複数の選択肢から選択する表示部を備え、当該表示部に表示された画面を見ながら前記選択肢を指定する対話形式の入力装置である。
【００１８】
請求項９に記載の発明は、前記請求項２記載の発明において、前記電力遮断状態が、前記主制御部の前記第１の状態、第２の状態に関わらず、少なくとも前記移動体検出手段の動作及び検出に必要な制御系に電力を供給するスリープモードを備えている。
【００１９】
請求項１０に記載の発明は、前記請求項９記載の発明において、前記電力供給状態が、少なくとも、予め定めた処理を実行する処理部に対して定常時よりも下げて電力を供給しておくスタンバイモード、前記処理部に対して前記定常時の電力を供給するランニングモード、前記スタンバイモードよりも消費電力が低く前記スリープモードよりも消費電力が高い状態を維持するローパワーモードを備えている。
【００２０】
請求項１１に記載の発明は、前記請求項１〜請求項１０の何れか１項記載の電力供給制御装置を備え、原稿画像から画像を読み取る画像読取部、画像情報に基づいて記録用紙に画像を形成する画像形成部、予め相互に定められた通信手順の下で画像を送信先へ送信するファクシミリ通信制御部、移動体の一部である使用者との情報の受付報知を行うユーザーインターフェイス部、前記使用者を識別するための使用者識別装置の少なくとも１つを含んでおり、前記使用者からの指示に基づいて、相互に連携しあって画像処理を実行すると共に、前記移動体検出手段が、前記ユーザーインターフェイス部又は使用者識別装置の設置位置を基準として設けられた画像処理装置である。
【００２１】
請求項１２に記載の発明は、コンピュータを、前記請求項１〜請求項１０の何れか１項記載の電力供給制御装置として実行させる電力供給制御プログラムである。
【発明の効果】
【００２２】
請求項１に記載の発明によれば、本構成を有しない場合に比べて、移動体検出手段の特定の検出領域において、所謂素通りする移動体であるのか、装置を使用する使用者であるのかの判別精度を向上することができる。
【００２３】
請求項２記載の発明によれば、状態に応じて主制御部の復帰時間が異なっても、素通りする移動体であるのか、装置を使用する使用者であるのかの判別精度が変化することがない。
【００２４】
請求項３記載の発明によれば、電力遮断状態が限定されることがない。
【００２５】
請求項４記載の発明によれば、本構成を有しない場合に比べて、移動体の判別精度を高めることができる。
【００２６】
請求項５に記載の発明によれば、本構成を有しない場合に比べ、最適に基準時間を補正することができる。
【００２７】
請求項６に記載の発明によれば、本構成を有しない場合に比べ、最適に基準時間を補正することができる。
【００２８】
請求項７に記載の発明によれば、本構成を有しない場合に比べ、最適に基準時間を補正することができる。
【００２９】
請求項８に記載の発明によれば、本構成を有しない場合に比べ、基礎情報の選択を容易に行うことができる。
【００３０】
請求項９に記載の発明によれば、装置の省エネ性を向上することができる。
【００３１】
請求項１０に記載の発明によれば、装置の省エネ性及び利便性を両立することができる。
【００３２】
請求項１１、請求項１２に記載の発明によれば、本構成を有しない場合に比べて、移動体検出手段の特定の検出領域において、所謂素通りする移動体であるのか、装置を使用する使用者であるのかの判別精度を向上することができる。
【図面の簡単な説明】
【００３３】
【図１】本実施の形態に係る画像処理装置を含む通信回線網接続図である。
【図２】本実施の形態に係る画像処理装置の概略図である。
【図３】本実施の形態に係る画像処理装置の制御系の構成を示すブロック図である。
【図４】本実施の形態に係るメインコントローラと電源装置の制御系を機能別に概略図である。
【図５】画像処理装置における、各モード状態と、当該モード状態の移行の契機となる事象を示したタイミングチャートである。
【図６】本実施の形態に係り、画像処理装置及びその周辺示す平面図である。
【図７】本実施の形態に係る、メインコントローラにおける異なる種類のスリープモードからの立ち上がり時間に設定した基準時間に基づく監視制御のタイミングチャートであり、（Ａ）はプレオフモード、（Ｂ）はオールオフモードである。
【図８】第２の人感センサを横切る時間と検知距離との関係を示す平面図である（傾斜無し）。
【図９】第２の人感センサを横切る時間と検知距離との関係を示す平面図である（傾斜有り）。
【図１０】第２の人感センサを横切る時間と検知角度との関係を示す平面図である。
【図１１】本実施の形態に係るＵＩタッチパネルの表示部に表示される、人感センサ設定ウィンドウ画面の正面図であり、検知距離、検知角度の設定画面である。
【図１２】変形例に係るＵＩタッチパネルの表示部に表示される、人感センサ設定ウィンドウ画面の正面図であり、検知距離、検知角度、誤検知防止時間の設定画面である。
【図１３】本実施の形態に係り、主電源がオンしたときに起動される、基準時間設定制御ルーチンを示すフローチャートである。
【図１４】本実施の形態に係り、スリープモード中の第２の人感センサ３０による監視制御ルーチンを示すフローチャートである。
【図１５】変形例に係り、メインコントローラ起動後、第２の人感センサにより、複数回の再検出を実行する場合のタイミングチャートである。
【図１６】変形例に係り、基準時間の学習補正を行うためのタイミングチャート（基準時間増加）である。
【図１７】変形例に係り、基準時間の学習補正を行うためのタイミングチャート（基準時間減少）である。
【発明を実施するための形態】
【００３４】
図１に示される如く、本実施の形態に係る画像処理装置１０は、インターネット等のネットワーク通信回線網２０に接続されている。図１では、２台の画像処理装置１０が接続されているが、この数は限定されるものではなく、１台でもよいし、３台以上であってもよい。
【００３５】
また、このネットワーク通信回線網２０には、情報端末機器としての複数のＰＣ（パーソナルコンピュータ）２１が接続されている。図１では、２台のＰＣ２１が接続されているが、この数は限定されるものではなく、１台でもよいし、３台以上であってもよい。また、情報端末機器としては、ＰＣ２１に限定されるものではなく、さらには有線接続である必要もない。すなわち、無線によって情報を送受信する通信回線網であってもよい。
【００３６】
図１に示される如く、画像処理装置１０では、ＰＣ２１から当該画像処理装置１０に対して、遠隔で、例えばデータを転送して画像形成（プリント）指示操作を行なう場合、或いは使用者（ユーザー）が画像処理装置１０の前に立ち、各種操作によって、例えば、複写（コピー）、スキャン（画像読取）、ファクシミリ送受信等の処理を指示する場合がある。
【００３７】
図２には、本実施の形態に係る画像処理装置１０が示されている。
【００３８】
画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００３９】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００４０】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００４１】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００４２】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００４３】
（画像処理装置の制御系ハード構成）
図３は、画像処理装置１０の制御系のハード構成の概略図である。
【００４４】
ネットワーク回線網２０は、メインコントローラ２００に接続されている。メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。なお、ＵＩタッチパネル２１６には、ＵＩタッチパネル用バックライト部（図４参照）が取り付けられている場合がある。
【００４５】
また、画像処理装置１０は、電源装置２０２を備えており、メインコントローラ２００とはバス３３Ｅで接続されている。電源装置２０２は、商用電源２４２から電力の供給を受けている。電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力を供給する電力供給状態（電力供給モード）、或いは電力の供給を遮断する電力遮断状態（スリープモード）とし、所謂部分節電制御を可能としている。
【００４６】
また、メインコントローラ２００には、２個の第１の人感センサ２８、第２の人感センサ３０が接続されており、画像処理装置１０の周囲の人の有無を監視している。この第１の人感センサ２８、第２の人感センサ３０については後述する。
【００４７】
（部分節電構成を主体とした機能ブロック図）
図４は、前記メインコントローラ２００によって制御される処理部（「デバイス」、「モジュール」等と称する場合もある）、並びにメインコントローラ２００、並びに各デバイスへ電源を供給するための電源装置２０２の電源ラインを主体とした概略構成図である。本実施の形態では、画像処理装置１０が処理部単位で電力供給又は非供給が可能でとなっている（部分節電）。
【００４８】
なお、処理部単位の部分節電は一例であり、処理部をいくつかのグループに分類しグループ単位で節電の制御を行ってもよいし、処理部を一括して節電の制御を行ってもよい。
【００４９】
［メインコントローラ２００］
図４に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６（バックライト部２１６ＢＬを含む）が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ、ＤＶＤ、ＢＤ（ブルーレイディスク）、ＵＳＢメモリ、ＳＤメモリ等）から該プログラムをインストールし、これに基づいてＣＰＵ２０４が動作することにより画像処理機能を実現してもよい。
【００５０】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００５１】
なお、前記タイマ回路２２０は、前記ファクシミリ通信制御回路２３６、画像読取部２３８、画像形成部２４０を節電状態（電源非供給状態）とするための契機として、計時を行うものである（以下、「システムタイマ」という場合がある）。
【００５２】
メインコントローラ２００及び各デバイス（ファクシミリ通信制御回路２３６、画像読取部２３８、画像形成部２４０）は、電源装置２０２から電源が供給される（図４の点線参照）。なお、図４では、電源線を１本の線（点線）で示しているが、実際には２本〜３本の配線である。
【００５３】
［電源装置２０２］
図４に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００５４】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通／非導通させるためのスイッチング制御を行う。
【００５５】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００５６】
また、第２の電源部２５０は、２４Ｖ電源部２５０Ｈ（ＬＶＰＳ２）と５Ｖ電源部２５０Ｌ（ＬＶＰＳ１）を備えている。２４Ｖ電源部２５０Ｈ（ＬＶＰＳ２）は主としてモーター等で使用される電源である。
【００５７】
第２の電源部２５０の２４Ｖ電源部２５０Ｈ（ＬＶＰＳ２）及び５Ｖ電源部２５０Ｌ（ＬＶＰＳ１）は、選択的に、画像読取部電源供給部２５８、画像形成部電源供給部２６０、ファクシミリ通信制御回路電源供給部２６４、ＵＩタッチパネル電源供給部２６６に接続されている。
【００５８】
画像読取部電源供給部２５８は、２４Ｖ電源部２５０Ｈ（ＬＶＰＳ２）を入力源として、第２のサブ電源スイッチ２６８（以下、「ＳＷ−２」という場合がある。）を介して、画像読取部２３８に接続されている。
【００５９】
画像形成部電源供給部２６０は、２４Ｖ電源部２５０Ｈ（ＬＶＰＳ２）と５Ｖ電源部２５０Ｌ（ＬＶＰＳ１）を入力源として、第３のサブ電源スイッチ２７０（以下、「ＳＷ−３」という場合がある。）を介して、画像形成部２４０に接続されている。
【００６０】
ファクシミリ通信制御回路電源供給部２６４は、２４Ｖ電源部２５０Ｈ（ＬＶＰＳ２）と５Ｖ電源部２５０Ｌ（ＬＶＰＳ１）を入力源として、第４のサブ電源スイッチ２７４（以下、「ＳＷ−４」という場合がある。）を介して、ファクシミリ通信制御回路２３６及び画像形成部２４０に接続されている。
【００６１】
ＵＩタッチパネル電源供給部２６６は、５Ｖ電源部２５０Ｌ（ＬＶＰＳ１）と２４Ｖ電源部２５０Ｈ（ＬＶＰＳ２）を入力源として、第５のサブ電源スイッチ２７６（以下、「ＳＷ−５」という場合がある。）を介して、ＵＩタッチパネル２１６（バックライト部２１６ＢＬを含む）に接続されている。なお、ＵＩタッチパネル２１６の本来の機能（バックライト部２１６ＢＬを除く機能）へは、節電中監視制御部２４から電源を供給可能としてもよい。
【００６２】
前記第２のサブ電源スイッチ２６８、第３のサブ電源スイッチ２７０、第４のサブ電源スイッチ２７４、第５のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。図示していないが、２４Ｖ電源部２５０Ｈと５Ｖ電源部２５０Ｌが供給されるスイッチや配線は、２系統で構成されている。また電源スイッチ２６８〜２７６は電源装置２０２でなく、電源供給先の各デバイス内に配置されても良い。
【００６３】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００６４】
（画像処理装置の状態遷移のための監視制御）
ここで、本実施の形態のメインコントローラ２００は、必要最小限の電力消費となるように、部分的にその機能を停止させる場合がある。或いは、メインコントローラ２００の大部分を含め、電力の供給を停止させる場合がある。これらを総称して「スリープモード（節電モード）」という場合がある（図５参照）。
【００６５】
スリープモードは、例えば、画像処理が終了した時点でシステムタイマを起動させることで移行可能である。すなわち、前記システムタイマが起動してから所定時間経過することで電力供給を停止させている。なお、所定時間が経過するまでに、何らかの操作（ハードキーの操作等）があれば、当然、スリープモードへのタイマカウントは中止され、次の画像処理終了時からシステムタイマが起動される。
【００６６】
一方、上記スリープモード中において、常に電力の供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等を備えるようにしてもよい。
【００６７】
ところで、前記節電中の監視において、例えば、通信回線検出部からプリント要求などが来たり、ＦＡＸ回線検出部からＦＡＸ受信要求が来ることで、節電中であったデバイスに対して、節電中監視制御部２４では、電源供給制御回路２５２を介して、第１のサブ電源スイッチ２５６、第２のサブ電源スイッチ２６８、第３のサブ電源スイッチ２７０、第４のサブ電源スイッチ２７４、第５のサブ電源スイッチ２７６を制御することで、電力を供給を行なうことが前提である。
【００６８】
（メインコントローラの電力供給／遮断制御）
また、メインコントローラ２００のＩ／Ｏ２１０には、節電制御ボタン２６（単に、「節電ボタン２６」という場合がある。）が接続されており、節電中に使用者がこの節電制御ボタン２６を操作することで、節電が解除可能となっている。なお、この節電制御ボタン２６には、処理部に電力が供給されているときに操作されることで、当該処理部の電力供給を強制的に遮断し、節電状態にする機能を併せ持つ。
【００６９】
ここで、スリープモードで監視するためには、節電中監視制御部２４以外に、節電制御ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。
【００７０】
なお、スリープモードの特定の期間として、メインコントローラ２００、ＵＩタッチパネル２１６やＩＣカードリーダー２１７等の入力系を主体とした必要最小限の電力供給を供給する期間を設けてもよい。これは、使用者への利便性を考慮したものである。なお、この場合、ＵＩタッチパネル２１６では、少しでも省エネ性を確保するため、バックライト部２１６ＢＬを消灯する、或いは照度を通常よりも減らすことが好ましい。
【００７１】
上記特定の期間を、例えば、図５では仮称として、アウェイクモード（ａｗｋ）として区別したが、特に、このモードは必須ではない。
【００７２】
また、図５では図示を省略したが、スリープモード（アウェイクモード以外）は、メインコントローラ２００が起動するときにＣＰＵ初期化処理や処理クロックの安定待ち等が必要な「オールオフモード」と、メインコントローラ２００が起動するときにＣＰＵ初期化処理や処理クロックの安定待ち等が不要な「プレオフモード」とに分類される場合がある。
【００７３】
この「オールオフモード」と「プレオフモード」との違いは、メインコントローラ２００が立ち上がるまでの時間が異なる。すなわち、オールオフモードからの立ち上がり時間ｔoffは、プレオフモードからの立ち上がり時間ｔpreよりも長い（ｔoff＞ｔpre）。
【００７４】
（人感センサの機能）
ところで、スリープモード時に使用者が画像処理装置１０の前に立ち、その後に節電制御ボタン２６を操作して、電力供給を再開した場合、画像処理装置１０が立ち上がるまでに時間を要する場合があった。
【００７５】
そこで、本実施の形態では、前記節電中監視制御部２４に、第１の人感センサ２８、第２の人感センサ３０を設置すると共に、スリープモードでは、使用者が節電解除ボタンを押す前に人感センサで検知して早期に電力供給を再開して、使用者が早く使えるようにした。なお、節電制御ボタン２６と第１の人感センサ２８、第２の人感センサ３０とを併用しているが、第１の人感センサ２８、第２の人感センサ３０のみで全ての監視を行うことも可能である。
【００７６】
図４に示される如く、第１の人感センサ２８、第２の人感センサ３０は、検出部２８Ａ、３０Ａと回路基板部２８Ｂ、３０Ｂとを備えており、回路基板部２８Ｂ，３０Ｂは、検出部２８Ａ、３０Ａで検出した信号の感度を調整したり、出力信号を生成する。
【００７７】
なお、第１の人感センサ２８、第２の人感センサ３０は、「人感」としているが、これは、本実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。以下では、移動体、人、使用者等は、第１の人感センサ２８、第２の人感センサ３０が検出する対象として同義として扱い、必要に応じて区別することとする。
【００７８】
「第１の人感センサ２８」
本実施の形態に係る第１の人感センサ２８の仕様は、画像処理装置１０の周囲（例えば、１ｍ〜５ｍの範囲）において、移動体の動きを検出するものである。この場合、焦電素子の焦電効果を用いた赤外線センサ等が代表的である（焦電型センサ）。本実施の形態では、第１の人感センサ２８として焦電型センサを適用している。
【００７９】
この第１の人感センサ２８に適用された焦電素子の焦電効果を用いたセンサの最大の特徴は、検出領域が広いことである。また、移動体の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００８０】
なお、本実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００８１】
但し、人が画像処理装置１０の前で、例えば画像形成や画像読取等の処理を待つ間、その場でストレッチ運動等を行うと、人感センサ２８では、人の存在を検出する場合もある。
【００８２】
従って、当該「静止」を定義して第１の人感センサ２８の感度を調整するのではなく、感度は、比較的おおまか、かつ標準的に調整し、当該第１の人感センサ２８の検出状態に依存するようにしてもよい。すなわち、第１の人感センサ２８が二値信号の内の１つ（例えば、ハイレベル信号）を出力しているときは人が動いていることを示し、第２の第１の人感センサ２８の検出領域内に人が存在し、かつ二値信号の内の他の１つ（例えば、ローレベル信号）が出力された場合を静止とすればよい。
【００８３】
本実施の形態に係る第１の人感センサ２８の仕様は、画像処理装置１０の周囲（例えば、０ｍ〜５ｍの範囲）において、移動体の動きを検出するものである。
【００８４】
「第２の人感センサ３０」
一方、本実施の形態に係る第２の人感センサ３０の仕様は、移動体の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００８５】
この第２の人感センサ３０に適用された反射型センサ等の最大の特徴は、受光部に入る光を遮断する／しないによって移動体の有無を確実に検出することである。また、投光部から投光される光量等により、受光部へ入射する光量に制限があるため、比較的近距離が検出領域である。
【００８６】
なお、第１の人感センサ２８、第２の人感センサ３０として、以下に示す機能をそれぞれ達成することが可能であれば、第１の人感センサ２８として焦電型センサや、第２の人感センサ３０として反射型センサに限定されるものではない。
【００８７】
ここで、本実施の形態では、第１の人感センサ２８と第２の人感センサ３０により、最大検出範囲（例えば、図６の第１の領域Ｆと第２の領域Ｎ）を設定した。
【００８８】
相対的に遠い検出領域である図６の第１の領域Ｆ（単に、「領域Ｆ」という場合がある）は、第１の人感センサ２８による検出領域であり、遠隔移動体検出手段としての機能を有する。また、相対的に近い検出領域である図６の第２の領域Ｎ（単に、「領域Ｎ」という場合がある）は、第２の人感センサ３０による検出領域であり、近接移動体検出手段としての機能を有する。
【００８９】
第１の人感センサ２８の検出領域（図６の第１の領域Ｆ参照）は、画像処理装置１０が設置されている場所の環境にもよるが、目安として臨界点（最も遠い位置）が２〜３ｍ程度が好ましい。一方、第２の人感センサ３０の検出領域（図６の第２の領域Ｎ)参照）は、画像処理装置１０のＵＩタッチパネル２１６やハードキーの操作が可能な範囲であり、目安として臨界点（最も遠い位置）が０．３〜１．０ｍ程度が好ましい。
【００９０】
（センサ電力供給制御）
本実施の形態では、第２の人感センサ３０は、常時、電力供給を受けていない。第２の人感センサ３０は、第１の人感センサ２８が管轄する図６の第１の領域Ｆに移動体（使用者）が進入した時点で電力が供給されて動作を開始し、その後、この第２の人感センサ３０が管轄する図６の第２の領域Ｎに移動体（使用者）が進入した時点でスリープモードからスタンバイモードへの立ち上げを指示する。
【００９１】
すなわち、検出領域の異なる２つの人感センサ（第１の人感センサ２８と第２の人感センサ３０）が互いに連携しあって、必要最小限の電力供給を受けるようになっている。
【００９２】
一方、第２の人感センサ３０の電力供給の遮断に関しては、前記第１の人感センサ２８の移動体検出状況に加え、前記節電中監視制御部２４に設けられたタイマ機能が併用されるようになっている。このタイマ機能は、前述したシステムタイマと区別するため、「センサタイマ」という場合がある。
【００９３】
センサタイマは、節電中監視制御部２４の機能の１つである。すなわち、制御系は当然動作クロックを備えており、このクロック信号からタイマを生成してもよいし、一定時間毎処理毎にカウントするカウンタプログラムを生成してもよい。
【００９４】
図６に示される如く、移動体（使用者）と画像処理装置１０との関係は、大きく分けて３形態あり、第１の形態は、人が画像処理装置１０に対して、使用目的で操作可能位置まで近づいてくる形態（図６のＡ線矢視の動向（Ａパターン）参照）、第２の形態は、人が処理装置を使用目的ではないが、操作可能位置まで近づいてくる形態（図６のＢ線矢視の動向（Ｂパターン）参照）、第３の形態は、人が処理装置の操作可能位置まで近づかないが、第１の形態、第２の形態に移行する可能性のある距離まできている形態（図６のＣ線矢視の動向（Ｃパターン）参照）。
【００９５】
本実施の形態では、第１の人感センサ２８による検出情報、並びに第１の人感センサ２８による検出情報とセンサタイマの計時情報に基づいて、前記動向（図６に示すＡパターン〜Ｃパターンを基本とする人の移動形態）に即した第２の人感センサ３０の電力供給時期及び電力供給遮断時期を制御している。
【００９６】
（第２の人感センサ３０の検出精度調整）
ここで、本実施の形態における第２の人感センサ３０の移動体検出は、その後の電力供給制御に影響を与える。例えば、図６のパターンＢのように、第２の人感センサ３０の検出領域内を横切る（画像処理装置１０の近傍を素通り）すると、節電中監視制御部２４では、少なくともメインコントローラ２００を起動させる指示を発動する。
【００９７】
上記画像処理装置１０の近傍を素通りする場合と、実際に画像処理装置１０を利用する場合とを区別するため、予め移動体が第２の人感センサ３０を横切る時間を予測しておき、この時間中に再度、人感センサ３０の検出状況を確認することがなされている。
【００９８】
すなわち、前記再度の確認によって、前記第２の人感センサ３０により依然として移動体を検出している場合は、当該移動体は、画像処理装置１０を利用しようとする使用者であると認識し、例えば、アウェイクモード等の一部のデバイスに電力を供給する状態へ移行させる。一方、前記再度の確認によって、前記第２の人感センサ３０により移動体を検出しなくなった場合は、当該移動体は、画像処理装置１０の近傍を素通りした移動体であると認識し、例えば、メインコントローラ２００への電力供給を遮断する。
【００９９】
前記移動体が第２の人感センサ３０を横切る時間は、初期設定として、例えば、第２の人感センサ３０の検出距離が画像処理装置１０から０．３ｍ（３０ｃｍ）前後を素通りするときの時間を設定している。これは、移動体が素通りする度にメインコントローラ２００等に電力が供給されず、一方で、ＩＣカードリーダー２１７にカードをかざすまで、或いは、ＵＩタッチパネル２１６の操作が開始されるまでには電力が供給されて立ち上がっていることを条件として設定したものである。
【０１００】
（基準時間の設定）
ここで、メインコントローラ２００は、前述したように、同じスリープモードであっても「オールオフモード」と「プレオフモード」の何れかに属しているかは、それ以前の画像処理装置１０の状況によって異なる。例えば、コピー等の処理が終了し、システムタイマが起動、或いは節電制御ボタン２６が操作された場合は、「プレオフモード」とする（立ち上がり時間ｔpre）。この「プレオフモード」において、画像処理装置１０が使用されない状態が、さらに予め定められた時間継続した場合に「オールオフモード」とする（立ち上がり時間ｔoff）。
【０１０１】
また、第２の人感センサ３０は、その仕様として、移動体を検出しているときに点灯、検出していないときに消灯するインジケータ（ＬＥＤ等）が具備されている場合がある。
【０１０２】
このため、前述したような、単なる素通りの場合、第２の人感センサ３０のインジケータが点灯しても、メインコントローラ２００の立ち上がり後の移動体再検出の際、メインコントローラ２００のスリープの状態によって（前記立ち上がり時間ｔoff、ｔpreの差によって「ｔoff＞ｔpre」）、移動体を検出したり、しなかったりする場合がある。
【０１０３】
この再検出で移動体を検出すれば、メインコントローラ２００はそのまま立ち上がり状態を維持するが、再検出で移動体を検出しなければ、メインコントローラ２００はスリープモードへ戻ることになる。
【０１０４】
これは、前述した移動体が第２の人感センサ３０を横切る時間がｔpreよりも長く、ｔoffよりも短い場合に起こり得る事象であり、例えば、ユーザーからすると、視覚的にインジケータが点灯しているのに、メインコントローラ２００の状態が異なるといった違和感を感じることになる。
【０１０５】
そこで、本実施の形態では、立ち上がり時間が最も長いモードを対象として、基準時間を設定している。すなわち、本実施の形態では、２種類の立ち上がり時間ｔoff、ｔpreが存在し、その関係は、ｔoff＞ｔpreである。従って、「オールオフモード」の立ち上がり時間ｔoffに基づいて基準時間が設定される。
【０１０６】
図７は、スタンバイモードからスリープモードへ移行するときのタイミングチャートであり、図７（Ａ）はスリープモードがプレオフモードであり、図７（Ｂ）はスリープモードがオールオフモードである場合を示している。
【０１０７】
スタンバイモード（通常状態）からスリープモードへの移行処理に関しては、両者共同じタイミングで処理される。なお、図７（Ａ）及び（Ｂ）では、スリープモード移行後の時間を同一としているが、まず、プレオフモードに移行して、さらにその後、オールオフモードに移行するようにしてもよい。
【０１０８】
この図７（Ａ）及び（Ｂ）に示すように、基準時間ｔ１は、メインコントローラ２００の立ちがり時間が遅い方、すなわち、オールオフモードｔoffよりも長い時間に設定されている。
【０１０９】
図７（Ａ）では、第２の人感センサ３０により移動体を検出してからのメインコントローラ２００の立ち上がり時間（ＣＰＵ復帰時間）ｔpreであり、メインコントローラ２００が立ち上がってから前記基準時間ｔ１から立ち上がり時間ｔpreを差し引いた時間（ｔ１−ｔpre）が経過したときを再検出時期としている。
【０１１０】
一方、図７（Ｂ）では、第２の人感センサ３０により移動体を検出してからのメインコントローラ２００の立ち上がり時間（ＣＰＵ復帰時間）ｔoffであり、メインコントローラ２００が立ち上がってから前記基準時間ｔ１から立ち上がり時間ｔoffを差し引いた時間（ｔ１−ｔoff）が経過したときを再検出時期としている。
【０１１１】
この結果、スリープモードの種類が異なっていても、最初の移動体検出から再検出までの時間が一定となる（基準時間ｔ１）。
【０１１２】
（基準時間の補正）
また、本実施の形態では、初期設定として、前記基準時間ｔ１を決めた後、前記第２の人感センサ３０の検出領域に基づいて、移動体が素通りする位置を予測し、前記基準時間を補正するようにしている。
【０１１３】
例えば、基準時間ｔ１を設定するにあたり、メインコントローラ２００の立ち上がり時間の最も遅い時間（又はそれ以上）に設定すれば、インジケータ点灯時の違和感を解消することは可能であり、かつ利便性を高めることになるが、単純に立ち上がり時間の最も遅い時間とした場合、立ち上がり時間が速いときの省エネ性が損なわれることになる。
【０１１４】
そこで、本実施の形態では、実際に第２の人感センサ３０の実効値を特定することで、利便性及び省エネ性を両立している。
【０１１５】
以下に、第２の人感センサ３０の実効値について説明する。
【０１１６】
図８に示される如く、第２の人感センサ３０の検出領域が画像処理装置１０の正面壁とセンサ光軸が直角（以下、「０度」という）の場合は、遠くに行くに従い拡幅するため、画像処理装置１０から相対的に近い位置で横切るときの時間ｔｎａ（図８（Ａ）参照）と、画像処理装置１０から相対的に遠い位置で横切る（素通りする）ときの時間ｔｆａ（図８（Ｂ）参照）とでは、遠い位置の方が時間が長くなる。例えば、図８（Ａ）の時間ｔｎａを基準とした場合、図８（Ｂ）の時間ｔｆａを基準とするためには、その差分Δａ（ｔｆａ−ｔｎａ）だけ基準時間ｔ１を長くする必要がある。
【０１１７】
これは、図９に示される如く、第２の人感センサ３０の検出領域の光軸が、前記「０度」となっているときから横方向（水平方向）に傾斜した場合でも同様である。
【０１１８】
また、図１０に示される如く、画像処理装置１０からの距離Ｌ１が同一でも、横方向（水平方向）において、前記「０度」で横切る（素通りする）ときの時間ｔｎｂ（図１０（Ａ）参照）と、画像処理装置１０の正面に対して傾斜している状態で横切るときの時間ｔｆｂ（図１０（Ｂ）参照）とでは、傾斜している方が時間が長くなる。例えば、図１０（Ａ）の時間ｔｎｂを基準とした場合、図１０（Ｂ）の時間ｔｆｂを基準とするためには、その差分Δｂ（ｔｆｂ−ｔｎｂ）だけ基準時間ｔ１を長くする必要がある。
【０１１９】
図１１は、上記基準時間ｔ１の補正に関する情報を入力するためのＵＩタッチパネル２１６に表示される表示画面である。
【０１２０】
ＵＩタッチパネル２１６の表示部２１６Ｍの上部領域には、当該表示部２１６Ｍに表示される情報内容のタイトルや操作方法等が表示されており、その下部に２種類のウィンドウ画面５０Ａ、５０Ｂが左右に並んで表示されている。さらに、ウィンドウ画面５０Ｂの下部には、入力操作（タッチ操作）領域を案内するボタン画面５０Ｃが表示されている。
【０１２１】
一方のウィウンドウ画面５０Ａは、検知距離を設定する画面であり、本実施の形態では、相対的に「近距離（約３０ｃｍ）」「中距離（約６０ｃｍ）」「遠距離（約１００ｃｍ）」の３種類を識別する文字情報が表示され、これらの中から選択可能とされる。なお、それぞれの文字情報の表示領域に対応してチェックボックス画像が表示されており、ユーザーは、対応するチェックボックス画像の何れかの領域内を触れる（タッチ操作する）ことで、前記何れかの距離が選択される（図１１では、選択したチェックボックスを黒塗りとしている）。
【０１２２】
他方のウィウンドウ画面５０Ｂは、検知角度を設定する画面であり、本実施の形態では、画像処理装置１０の正面壁とセンサ光軸が直角である「０度」、この「０度」に対して水平方向に傾斜する角度「３０度」及び「４５度」の３種類を識別する文字情報が表示され、これらの中から選択可能とされる。なお、それぞれの文字情報の表示領域に対応してチェックボックス画像が表示されており、ユーザーは、対応するチェックボックス画像の何れかの領域内を触れる（タッチ操作する）ことで、前記何れかの距離が選択される（図１１では、選択したチェックボックスを黒塗りとしている）。
【０１２３】
なお、ウィンドウ画面５０Ｂの領域内には、選択された角度が視覚を通じて認識し易いように、選択された領域が表示されるグラフィック画像５２が表示されるようになっている。
【０１２４】
前記２つのウィウンドウ画面５０Ａ、５０Ｂのそれぞれにおいて、選択が完了した後は、前記ボタン画面５０Ｃの領域内を触れる（タッチ操作）することで選択結果が設定されるようになっている。また、この設定変更の際は、再度ボタン画面５０Ｃをタッチ操作すればよい。
【０１２５】
なお、図１２に示される如く、選択する項目として、使用者の歩行速度として、相対的に「早歩き」「標準」「ゆっくり」を選択するウィンドウ画面５０Ｄを追加してもよい。これは、誤検知防止時間を設定する画面となる。この場合、「早歩き」は基準時間ｔ１を短くする補正となり、「ゆっくり」は基準時間ｔ１を長くする補正となる。「標準」は補正無しである。
【０１２６】
以下、本実施の形態の作用を説明する。
【０１２７】
（画像処理装置１０（デバイス）の電力供給制御のモード遷移）
まず、図５に基づき、画像処理装置１０における、各モード状態と、当該モード状態の移行の契機となる事象を示したタイミングチャートを示す。
【０１２８】
画像処理装置１０は、処理がなされていないと動作状態は、スリープモードとなり、本実施の形態では、節電中監視制御部２４にのみ電力が供給されている。
【０１２９】
ここで、立ち上げ契機（立ち上げトリガの検出、或いはＵＩタッチパネル２１６等の操作入力（キー入力））があると、動作状態はウォームアップモードへ遷移する。
【０１３０】
なお、この立ち上げトリガ契機後は、依然としてスリープモードと定義し、ＵＩタッチパネル２１６のみを起動するようにしてもよいし、或いは、ＵＩタッチパネル２１６の起動によって、節電中監視制御部２４のみの電力供給よりも電力供給量が増加するので、アウェイクモード「ａｗｋ」（目覚めモード）として定義してもよい（図５の遷移図における、スリープモード範囲の括弧［  ］内参照）。このアウェイクモードでＵＩタッチパネル２１６等の操作入力（キー入力））があると、動作状態はウォームアップモードへ遷移する。
【０１３１】
前記立ち上げトリガとは、主として、第２の人感センサ３０による検出結果に基づく信号や情報等がある。なお、操作者による節電解除操作も立ち上げトリガとしてもよい。
【０１３２】
ウォームアップモードは画像処理装置１０を迅速に処理可能状態にもっていくため、各モードの内最大の電力消費量となるが、例えば、定着部におけるヒータとしてＩＨヒータを利用することによって、ハロゲンランプを用いたヒータよりもウォームアップモード時間は、比較的短い時間とされている。
【０１３３】
ウォームアップモードによる暖機運転が終了すると、画像処理装置１０はスタンバイモードに遷移するようになっている。
【０１３４】
スタンバイモードは、文字通り「事に備えて準備が完了している」モードであり、画像処理装置１０においては、画像処理の動作が即実行できる状態となっている。
【０１３５】
このため、キー入力としてジョブ実行操作があると、画像処理装置１０の動作状態は、ランニングモードに遷移し、指示されたジョブに基づく画像処理が実行されるようになっている。
【０１３６】
画像処理が終了すると（連続した複数のジョブが待機している場合は、その連続したジョブの全てが終了したとき）、待機トリガによって画像処理装置１０の動作状態はスタンバイモードへ遷移する。なお、画像処理後、システムタイマによる計時を開始し、予め定めた時間経過した後に待機トリガを出力し、スタンバイモードへ遷移するようにしてもよい。
【０１３７】
このスタンバイモード中にジョブ実行指示があれば、再度ランニングモードへ遷移し、立ち下げトリガの検出がある、或いは予め定めた時間が経過したとき、スリープモードへ遷移するようになっている。
【０１３８】
なお、立ち下げトリガとは、第２の人感センサ３０による検出結果に基づく信号や情報等がある。なお、システムタイマを併用してもよい。
【０１３９】
また、画像処理装置１０における実際の動作におけるモード状態の遷移が、全てこのタイミングチャートのとおり時系列で進行するものではない。例えば、ウォームアップモード後のスタンバイモードで処理が中止され、スリープモードへ移行する場合もある。
【０１４０】
ここで、電力の供給を受けて動作する各デバイスは、図５におけるスリープモードからアウェイクモード、ウォームアップモードを経てスタンバイモードへ遷移することで、それぞれの処理を即時に実行可能となる。
【０１４１】
このように、本実施の形態の画像処理装置１０は、モードの間を相互に遷移しており、各モード毎に電力供給量が異なっている。
【０１４２】
（スリープモードからの立ち上がり制御）
メインコントローラ２００は、それ以前の画像処理装置１０の状況によって、スリープモードとして「オールオフモード」と「プレオフモード」の何れかに属する。
【０１４３】
「プレオフモード」の場合、メインコントローラ２００が正常に機能し得るまでの立ち上がり時間はｔpreであり、「プレオフモード」の場合、メインコントローラ２００が正常に機能し得るまでの時間は、ｔoffであり、両者には、ｔoff＞ｔpreの関係がある。
【０１４４】
ここで、画像処理装置１０の近傍を、移動体が素通りする場合、第２の人感センサ３０のインジケータが点灯しても、メインコントローラ２００の立ち上がり後の再検出（２度目の検出状況）のときに、メインコントローラ２００のスリープの状態によって、移動体を検出したり、しなかったりすることがある。
【０１４５】
これは、前述した移動体が第２の人感センサ３０を横切る時間がｔpreよりも長く、ｔoffよりも短い場合に起こり得る。
【０１４６】
そこで、本実施の形態では、立ち上がり時間が最も長いモードを対象として、第２の人感センサ３０による移動体検出から再検出するまでの時間である基準時間を設定している。すなわち、本実施の形態では、２種類の立ち上がり時間ｔoff、ｔpreが存在し、その関係は、ｔoff＞ｔpreである。従って、「オールオフモード」の立ち上がり時間ｔoffに基づいて基準時間を設定した。
【０１４７】
さらに、この基準時間は、設定される第２の人感センサ３０の検知距離、検知角度（図８、図９参照）、或いは検知距離、検知角度、誤検知防止時間（図１０参照）に基づいて補正することで、省エネ性と利便性とを両立するようにした。
【０１４８】
以下、図１３及び図１４のフローチャートに従い、スリープモード時に実行される移動体監視のための制御の流れを説明する。
【０１４９】
図１３は、主電源がオンしたときに起動される、基準時間設定制御ルーチンを示すフローチャートである。
【０１５０】
画像処理装置１０の主電源がオンになると、まず、ステップ１００において、メインコントローラ２００の立ち上がり時間の最も長い時間である「オールオフモード」からの立ち上がり時間ｔoffに基づき、基準時間ｔ１を設定する。なお、基準時間ｔ１は、前記立ち上がり時間ｔoffよりも長い時間であることが条件であり、その上限（＋α）は特に制限されるものではない。
【０１５１】
常識的範囲でいえば、設定される基準時間ｔ１（←ｔ１＋α）は、例えば、第２の人感センサ３０の検知距離と検知角度の初期設定値に基づいて設定すればよい。本実施の形態では、第２の人感センサ３０の検知距離の初期値は３０ｃｍ、検知角度は０度（数字の定義は、共に、図１１参照）であり、移動体が、通常の歩行速度で、画像処理装置１０の前方３０ｃｍの位置を横方向（左右方向）に移動したとき（図１２参照）、第２の人感センサ３０の検知幅の両端を通過し終える時間とする。
【０１５２】
これにより、画像処理装置１０の前を単に素通りする移動体と、画像処理装置１０を使用するために近づいてくる使用者との区別が可能となる。
【０１５３】
次のステップ１０２では、第２の人感センサ３０を対象とする設定があったか否かが判断される。すなわち、ユーザーが、ＵＩタッチパネル２１６の表示部２１６Ｍに、図１１に示す設定用の表示画面が表示され、ユーザーのタッチ操作によって設定がなされたか否かが判断される。なお、ここでは、第２の人感センサ３０の検知距離、検知角度等の設定のための操作手順については省略する。また、第２の人感センサ３０の検知距離、検知角度等の設定操作は、ＰＣ等からの遠隔操作でもよい。
【０１５４】
前記ステップ１０２で肯定判定されると、ユーザーの操作によって検知距離、検知角度等の設定変更がなされたと判断し、ステップ１０４へ移行する。
【０１５５】
ステップ１０４では、設定された検知距離補正値Δａ（図８及び／又は図９のｔｆａ−ｔｎａ）を読み出し、次いでステップ１０６へ移行して、設定された検知角度補正値Δｂ（図１０のｔｆｂ−ｔｎｂ）を読み出し、ステップ１０８へ移行する。なお、図１２のように、歩行速度による誤検知防止時間の項目がある場合は、歩行速度補正値Δｃを別途設定すればよい。
【０１５６】
ステップ１０８では、現在の基準時間ｔ１を読み出し、次いでステップ１１０へ移行して、前記Δａ及びΔｂに基づき基準時間ｔ１を補正する。
【０１５７】
例えば、検知距離補正値Δａは、現状の設定よりも検知距離が長くなれば、検知幅が拡大するため、基準時間ｔ１は増える方に補正される。一方、現状の設定よりも検知距離が短くなれば、検知幅が縮小するため、基準時間ｔ１は減る方向に補正される。
【０１５８】
また、検知角度補正値Δｂは、現状の設定よりも検知角度が９０度に近くなれば、検知幅が拡大するため、基準時間ｔ１は増える方に補正される。一方、現状の設定よりも検知角度が０度に近くなれば、検知幅が縮小するため、基準時間ｔ１は減る方向に補正される。
【０１５９】
前記ステップ１１０での補正が終了すると、ステップ１１２へ移行する。また、前記ステップ１０２で否定判定された場合は、ステップ１１２へ移行する。
【０１６０】
ステップ１１２では、主電源がオフとなったか否かが判断され、否定判定された場合は、現状の基準時間ｔ１が維持された状態で、ステップ１０２へ戻る。また、ステップ１１２で肯定判定されると、このルーチンは終了する。
【０１６１】
なお、本実施の形態では、このルーチンは終了することで、次の主電源オフ時に、基準時間を初期化するようにしたが、設定変更された基準時間ｔ１を不揮発性のメモリに記憶しておき、次の主電源オン時には、この不揮発性メモリに記憶された基準時間ｔ１を初期値としてもよい。
【０１６２】
次に、図１４は、スリープモード中の第２の人感センサ３０による監視制御ルーチンを示すフローチャートである。
【０１６３】
スリープモードになると、基本的には、第１の人感センサ２８が監視を行い、第２の人感センサ３０は電力遮断状態となっている。
【０１６４】
ステップ１２０では、第１の人感センサ２８で移動体を検出したか否かが判断され、肯定判定されると、ステップ１２２へ移行して、第２の人感センサ３０へ電力の供給を開始する。これにより、第２の人感センサ３０が移動体検出可能状態となる。
【０１６５】
次のステップ１２４では、前記第２の人感センサ３０で移動体を検出したか否かが判断され、否定判定されると、ステップ１２６へ移行して、第２の人感センサ３０に電力が供給されてから、連続して未検出状態が一定時間継続しているか（一定時間経過したか）否かが判断され、否定判定された場合は、ステップ１２４へ戻り、第２の人感センサ３０による検出を継続する。また、ステップ１２６で肯定判定されると、ステップ１２８へ移行して第２の人感センサ３０への電源供給を遮断して、ステップ１２０へ戻る。なお、このとき、第２の人感センサ３０の検出領域外であるが、第１の人感センサ２８の検出領域内であると、再度第２の人感センサ３０に電力が供給されることがあるため、ユーザーの立ち去り時間を考慮して、第１の人感センサ２８に無効期間等を設けることが好ましい。
【０１６６】
前記ステップ１２４で肯定判定、すなわち、第２の人感センサ３０で移動体を検出すると、ステップ１３０へ移行して基準時間ｔ１を計時するためのタイマをリセット・スタートさせる。なお、第２の人感センサ３０には、検出モニタ用のインジケータが備えられており、移動体を検出している間はインジケータが点灯する。
【０１６７】
次のステップ１３２では、メインコントローラ２００の起動を開始し、次いでステップ１３４へ移行して基準時間ｔ１が経過したか否かが判断される。このステップ１３４で肯定判定されると、ステップ１３６へ移行して、再度第２の人感センサ３０による移動体の検出状況を確認する。すなわち、最初の検出から移動体の検出を維持しているか否かを確認する。
【０１６８】
このステップ１３６で肯定判定されると、第２の人感センサ３０で検出した移動体は、画像処理装置１０を使用する意志のある使用者であると判断し、ステップ１３８へ移行して復帰処理を行う。例えば、アウェイクモード移行を指示することで、ＵＩタッチパネル２１６やＩＣカードリーダー２１７へ電力が供給されるため、使用者は必要な情報を入力することができ、次のモード（例えば、スタンバイモード）への移行が可能となる。
【０１６９】
また、ステップ１３６で否定判定された場合は、最初に検出した移動体が、画像処理装置１０を使用する意志がない、単なる素通りする移動体であると判断し、ステップ１２８へ移行して、第２の人感センサ３０への電力供給を遮断する。
【０１７０】
（スリープモードの種類による監視の是正）
図１４のステップ１３２でのメインコントローラ２００の起動時間は、スリープモードの種類によって異なる。
【０１７１】
すなわち、スリープモード（アウェイクモード以外）では、メインコントローラ２００が起動するときにＣＰＵ初期化処理や処理クロックの安定待ち等が必要な「オールオフモード」と、メインコントローラ２００が起動するときにＣＰＵ初期化処理や処理クロックの安定待ち等が不要な「プレオフモード」とに分類される。
【０１７２】
いずれにしても、メインコントローラ２００が処理可能な状態になった時点で、基準時間ｔ１は経過していないため、第２の人感センサ３０による再検出（図１４のステップ１３６参照）は、メインコントローラ２００の起動にかかる時間が異なっても、同じ条件（基準時間ｔ１）での判断が可能となる。
【０１７３】
また、基準時間ｔ１は、メインコントローラ２００の起動時間の最も遅い時間に基づいて設定すればよく、利便性を維持することは可能である。
【０１７４】
これに対して、本実施の形態では、第２の人感センサ３０の取付条件（検出距離、検出角度）によって補正され（図１１参照）、また、検出距離、検出角度に併せて画像処理装置１０が設置される場所や職種等による使用者の移動速度によっても補正するようにしてもよいため（図１２参照）、利便性だけを目的としたものではなく、省エネ性を兼ね備えた基準時間ｔ１の設定が可能である。
【０１７５】
なお、本実施の形態では、スリープモード中に第２の人感センサ３０により移動体を検出し、メインコントローラ２００の起動処理が完了してからの再検出を１回のみとしたが（図１５（Ａ）参照）、図１５（Ｂ）に示される如く、メインコントローラ２００の起動処理完了後、複数回（ここではｔ１（１）、ｔ１（２）、ｔ１（３）の３回、定期又は不定期に検出を実行してもよい。図１５は、「プレーフモード」中からのメインコントローラ２００の起動を例に取り説明しているが、「オールオフモード」中からのメインコントローラ２００の起動時でも同様に複数回の検出を行ってもよい。
【０１７６】
また、本実施の形態では、基準時間ｔ１は、検出距離、検出角度、使用者の移動速度等によって補正するようにしたが、補正後の実際の検出結果に基づく正誤を履歴として記録しておき、当該正誤の状況によって、基準時間ｔ１をさらに補正するようにしてもよい（以下、「学習補正」という場合がある）。
【０１７７】
図１６及び図１７は、移動体が画像処理装置１０を横切る、又は近づいてくることを想定した、「プレオフモード」における学習補正の実施例である。なお、説明は省略したが、「オールオフモード」でも、同様である。
【０１７８】
（画像処理装置１０が使用されなかった場合「横切り」）
図１６（Ａ）に示される如く、第２の人感センサ３０による再検出（ｔ１−ｔpre）で、使用者の存在を確認して、例えば、装置をアウェイクモードやスタンバイモード（図５参照）に復帰させたが、何ら操作がなされなかった場合、誤認であると判断し、図１６（Ｂ）に示される如く、基準時間ｔ１を長くする補正を行う（ｔ１←ｔ１＋ｔｄ）。
【０１７９】
（画像処理装置１０が使用された場合「近づき」）
また、図１７（Ａ）に示される如く、第２の人感センサ３０による再検出（ｔ１−ｔpre）で、使用者の存在を確認して、例えば、装置をアウェイクモードやスタンバイモード（図５参照）に復帰させたが、当該復帰前に操作するような場合、誤認であると判断し、図１７（Ｂ）に示される如く、基準時間ｔ１を短くする補正を行う（ｔ１←ｔ１−ｔｄ）。この場合、復帰前の操作の有無を判別するために、メインコントローラ２００への電力供給開始時に、ＵＩタッチパネル２１６とＩＣカードリーダー２１７にも電力を供給しておく必要がある。
【符号の説明】
【０１８０】
Ｗ    壁面
１０    画像処理装置
２０    ネットワーク通信回線網
２１    ＰＣ
２２    電話回線網
２４    節電中監視制御部
２６    節電制御ボタン
２８    第１の人感センサ
３０    第２の人感センサ
５０Ａ    ウィンドウ画面
５０Ｂ    ウィンドウ画面
５０Ｃ    ボタン画面
５０Ｄ    ウィンドウ画面
５２    グラフィック画像
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１６ＢＬ    バックライト部
２１６Ｍ    表示部
２１７    ＩＣカードリーダー
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    ２４Ｖ電源部（ＬＶＰＳ２）
２５０Ｌ    ５Ｖ電源部（ＬＶＰＳ１）
２５８    画像読取部電源供給部
２６０    画像形成部電源供給部
２６６    ファクシミリ通信制御回路電源供給部
２６８    第２のサブ電源スイッチ（「ＳＷ−２」）
２７０    第３のサブ電源スイッチ（「ＳＷ−３」）
２７４    第４のサブ電源スイッチ（「ＳＷ−４」）
２７６    第５のサブ電源スイッチ（「ＳＷ−５」） 
【図１】
0005803470.tif 000002
【図２】
0005803470.tif 000003
【図３】
0005803470.tif 000004
【図４】
0005803470.tif 000005
【図５】
0005803470.tif 000006
【図６】
0005803470.tif 000007
【図７】
0005803470.tif 000008
【図８】
0005803470.tif 000009
【図９】
0005803470.tif 000010
【図１０】
0005803470.tif 000011
【図１１】
0005803470.tif 000012
【図１２】
0005803470.tif 000013
【図１３】
0005803470.tif 000014
【図１４】
0005803470.tif 000015
【図１５】
0005803470.tif 000016
【図１６】
0005803470.tif 000017
【図１７】
0005803470.tif 000018